(57)【要約】【課題】本発明は、炭化水素系排気を酸化分解処理すると同時に、排気がもっている熱エネルギーをガスタービン発電により、電力に有効且つ効率的に変換し、更に、蒸気或いは温水を発生させる排気処理装置を提供することにある。【解決手段】プロセス排気用の複数の各々単一ダクトを一つの集合チャンバー１の流入側に接続し、該集合チャンバー１と排気用冷却装置２とを接続用ダクト１３を介して接続し、該排気用冷却装置２と排気用送風機３とを接続用ダクト１４を介して接続し、該排気用送風機３とガス濃縮装置４とを接続用ダクト１５を介して接続し、該ガス濃縮装置４とガス冷却装置５とを接続用ダクト１６を介して接続し、該ガス冷却装置５と発電機７を有するガスタービン６とを接続用ダクト１７を介して接続し、ガスタービン６の廃熱排出側に廃熱温水ボイラー８を設けた排気処理装置を提供することにある。【選択図】図１
2004036523.tif 000002
【特許請求の範囲】
【請求項１】
多系統のプロセス排気用の複数の各々単一ダクトを一つの集合チャンバーの流入側に接続し、該集合チャンバーと排気用冷却装置とを接続用ダクトを介して接続し、該排気用冷却装置と排気用送風機とを接続用ダクトを介して接続し、該排気用送風機とガス濃縮装置とを接続用ダクトを介して接続し、該ガス濃縮装置とガス冷却装置とを接続用ダクトを介して接続し、該ガス冷却装置と発電機を有するガスタービンとを接続用ダクトを介して設けたことを特徴とする排気処理装置。
【請求項２】
請求項１記載の排気処理装置において、前記排気用送風機と前記ガス濃縮装置とを接続している前記接続用ダクトの任意の位置に前記ガス冷却装置と接続する接続用ダクトを設け、該ガス冷却装置と前記ガスタービンとを接続する接続用ダクトを設けたことを特徴とする排気処理装置。
【請求項３】
請求項１又は２記載の排気処理装置において、円筒ロータに吸着材を充填し、該円筒ロータ内は、吸着工程部と離脱再生工程部及び冷却工程部からなり、プロセス排気中の炭化水素系ガス物質を濃縮処理するガス濃縮装置を設けたことを特徴とする排気処理装置。
【請求項４】
請求項１乃至３のいずれか１項記載の排気処理装置において、ガスタービンの廃熱排出側に廃熱温水ボイラーを設けたことを特徴とする排気処理装置。
【請求項５】
請求項１乃至４のいずれか１項記載の排気処理装置において、廃熱温水ボイラーの排気排出側にガスタービンで発生した窒素酸化物の除去の為、触媒反応装置を設けたことを特徴とする排気処理装置。
【請求項６】
請求項１乃至３のいずれか１項記載の排気処理装置において、ガスタービンの廃熱排出側に廃熱高圧ボイラーを設けたことを特徴とする排気処理装置。
【請求項７】
請求項６記載の排気処理装置において、前記廃熱高圧ボイラーの高圧蒸気排出側に発電機を有する復水蒸気タービンを設けたことを特徴とする排気処理装置。
【請求項８】
請求項７記載の排気処理装置において、前記廃熱高圧ボイラーの排気排出側に温水ボイラーを設けたことを特徴とする排気処理装置。
【請求項９】
請求項８記載の排気処理装置において、前記復水蒸気タービンの蒸気ドレン排出側に熱交換器（復水器）を設けたことを特徴とする排気処理装置。
【発明の詳細な説明】
【０００１】
【発明の属する技術分野】
本発明は、印刷工場における印刷・加工工程、プラスチック成形工場でのプラスチック成形・加工工程、木工・鋼板加工工場での塗装工程、化学工場における高分子化合物などの合成反応製造工程などから排出される、炭化水素系ガス物質が主体の有機性排気の酸化脱臭除去と、同時に排気が有する熱エネルギーを利用する排気処理装置に関するもので、さらに詳しくは、有機性排気中の炭化水素系ガス物質をガス濃縮装置で濃縮し、ガスタービンの吸気に空気と共に導入し、圧縮、燃焼させることで、炭化水素系ガス物質の酸化脱臭除去と、同時に排ガスがもつ熱量でガスタービン発電を行い、更にガスタービンから排出される排気廃熱をボイラーに導入し、蒸気、或いは温水を発生する排気処理装置に関するものである。
【０００２】
【従来の技術】
印刷工場における印刷・加工工程、プラスチック成形工場でのプラスチック成形・加工工程、木工・鋼板加工工場での塗装工程、化学工場における高分子化合物などの合成反応製造工程などから排出される排気は、夏季に発生する光化学スモッグ発生の原因物質とされるオキシダントの元となっている炭化水素系排気が主体である。
【０００３】
従来、この炭化水素系排気の処理は、主に回収装置による回収処理や排気燃焼方式によって脱臭処理されてきた。
【０００４】
この回収装置による回収処理は、例えば、図４に示すような処理工程から構成されている。▲１▼排気の前処理、▲２▼排ガス中の回収対象物質の吸着物質等による分離、▲３▼吸着材破過時の加熱等による吸着材よりの離脱、▲４▼離脱回収物質の冷却凝縮、▲５▼物理・化学的方法による単一物質分離、▲６▼貯槽、からなり装置も比較的大掛かりになる傾向があった。
【０００５】
前記、排気の前処理では、回収対象物質以外の不純物質（ヒュームやミストなど）や、その後の回収処理工程で影響を与える物質を予め、フィルタなどで分離除去する。
【０００６】
また、その後の吸着物質などによる吸着分離工程に適した条件となるよう、温度、湿度調整も行う場合がある。
【０００７】
次に、有機性排気中の有機性物質の回収は空気との混合ガス状態から、空気を取り除き対象物質の濃度を高める必要がある。
【０００８】
一般的には、吸着材中に処理対象ガスを通し、その過程で対象物質を吸着材表面に吸着させ、吸着材の飽和時点で一定温度条件を加え、対象物質を吸着材から離脱させ高濃度の回収対象物質を得る。
【０００９】
次に、冷却器で離脱回収物質の冷却凝縮を行い、潜熱を奪い液化させる場合もある。更に、離脱回収された物質は、混合物質が一般的であるので物理・化学的方法により、各々単一物質に分離し、純度を上げてから、貯槽する。
【００１０】
以上のように、回収装置による回収処理方式は、比較的大掛かりになる傾向があり、設備設置費と運転回収費も相対的に高めで、回収物質の新規購入単価が回収装置によって得られた物質の回収費用と設備設置費などの諸費用の合計に比べ、下回るようであるなら炭化水素などの大気放出抑制としての意義はあるものの有価物回収装置としての意義はうすれる。
【００１１】
従って、回収対象物質の購入単価と、回収に要する諸費用が回収処理方式を選択するうえでの鍵である。
【００１２】
そこで炭化水素系を主体とする有機性排気の回収処理方式における回収対象物質の購入単価が低い場合は、排気燃焼処理方式が主たる方法となる。
【００１３】
前記排気燃焼処理方式は、具体的には、排気を燃焼炉内の燃焼バーナーなどで８００℃以上２秒程度加熱し、酸化分解させて、最終的には炭酸ガスと水にして安定化させ、大気中に排出している。
【００１４】
従来、この際発生した高温の排気を有効利用する目的で廃熱ボイラーを設け、蒸気を発生させ工場プロセスに使用したり、暖房の熱源に利用していた。
【００１５】
また、蓄熱材に排気の熱を蓄積させ熱飽和した段階で排ガスのフローを反転させ、排ガスを加熱された蓄熱材中を通過させることで予熱させ燃費の節減を図る方法も考案されている。
【００１６】
特に、排気燃焼処理方式の中でも、排気を直接燃焼する直接燃焼方式が従来より導入されてきた。排ガスを７００℃以上で燃焼し、装置の構造が比較的簡単で適用ガスの種類も広く汎用性があるが、排気の発熱量が低い場合、運転コストがかかる難点があった。
【００１７】
このような直接燃焼方式の問題点を改善するため廃熱を回収する目的でボイラーを付設し、蒸気を発生させることもできるが熱回収率としては、約５０％程度であり、あまり高くはない。
【００１８】
そこで燃焼温度を低くおさえた処理方式として触媒燃焼方式がある。燃焼温度は３５０℃程度で運転費も直接燃焼方式に比べ同一ガス条件で約半分程度となる。
【００１９】
排気の熱は、主に排ガスの予熱や温水ボイラーなどに利用できる。しかしながら、触媒を利用しているため、触媒には寿命があり、排気の成分によっては寿命が極端に短くなる欠点がある。特にハロゲン物質を含有する場合はこの触媒方式は適当ではない。
【００２０】
そこで前記直接燃焼方式の利点を生かしつつ熱効率を上げた方式に蓄熱直接燃焼方式がある。この方式は廃熱をセラミック磁器に蓄熱させ、排ガスフローの切り替えにより、排ガス予熱をする方式で熱交換効率も９０％以上確保することができる。
【００２１】
更に、前記蓄熱直接燃焼方式と前記触媒燃焼方式を組み合わせることで運転経費をさらに軽減できるが、触媒を使用することによる排ガス制約や、触媒に悪影響を及ぼす高沸点物質やハロゲン化物が排気中に含まれていると触媒の性能保持時間の低下をともなう。
【００２２】
くわえて効率のよい蓄熱直接燃焼方式についても、排気中の発熱量のみの運転、即ち燃料供給の伴わない自燃状態にあっても、排ガスの持っている酸化の際発生する発熱量と排気の廃熱量と装置よりの放熱量の三者の均衡が取れているに過ぎず、排気の持っている熱エネルギーをより有効に取り出してはいない。
【００２３】
このように運転燃費や方式による特性を考慮しつつ処理方式の検討はされてきているが、いずれも排ガス中に含まれている発熱量を酸化脱臭処理自身に生かしたり、廃熱を利用した低効率のボイラーによる蒸気熱源のみで、排気に含まれる熱源を効果的、且つ効率的に利用していない。
【００２４】
このように、いまだに有機性排気の処理にあたっては、回収装置を用いた回収処理方式、或いは排気燃焼処理方式が主流である。
【００２５】
前記回収処理方式は回収対象物質の購入単価がある程度高価であれば、回収処理に必要なコストがまかなわれるが、釣り合いがとり難いようであれば、大気放出抑制としては意義はあるが、経済的な面での回収処理の意義は薄くなってしまう。
【００２６】
一方、排気燃焼処理方式については、上記のように、蒸気発生を行っても蒸気が余剰であったり、はじめから蒸気を必要とする生産工程などがなかったりする場合がある。
【００２７】
或いは、せっかく蒸気発生を行ってもボイラー効率の点や、使用とする負荷側までの距離が非常にある場合などの放熱ロスにより、十分な効率が得られない場合もある。
【００２８】
更に、燃焼処理装置自身の排ガスを予熱とする蓄熱燃焼処理においても、燃焼脱臭処理を行うだけで有機性排気の持っている燃焼発熱量を排気処理目的以外の有効エネルギーとしては取り出していないのが現状である。
【００２９】
以上のように、炭化水素系ガスを主体とした有機性排気の処理にあたっては、その持っている熱源に関しての汎用的、効率的な利用方法がいまだに確立されていないのが実状である。
【００３０】
【発明が解決しようとする課題】
本発明は係る従来技術の問題点を解決するものであり、炭化水素系排気を主体とする有機性排気の排ガス成分を酸化分解処理すると同時に、排気がもっている熱エネルギーをガスタービン発電により、電力に有効、且つ効率的に変換し、更にガスタービン排気の廃熱を廃熱ボイラー、又は温水ボイラーに導入し、蒸気、或いは温水を発生させる排気処理装置を提供することにある。
【００３１】
【発明を解決するための手段】
本発明は、上記のような課題を解決するために成されたもので、本発明の請求項１に係る発明は、多系統のプロセス排気用の複数の各々単一ダクトを一つの集合チャンバー１の流入側に接続し、該集合チャンバー１と排気用冷却装置２とを接続用ダクト１３を介して接続し、該排気用冷却装置２と排気用送風機３とを接続用ダクト１４を介して接続し、該排気用送風機３とガス濃縮装置４とを接続用ダクト１５を介して接続し、該ガス濃縮装置４とガス冷却装置５とを接続用ダクト１６を介して接続し、該ガス冷却装置５と発電機７を有するガスタービン６とを接続用ダクト１７を介して設けたことを特徴とする排気処理装置である。
【００３２】
本発明の請求項２に係る発明は、請求項１記載の排気処理装置において、前記排気用送風機３と前記ガス濃縮装置４とを接続している前記接続用ダクト１５の任意の位置に前記ガス冷却装置５と接続する接続用ダクト１８を設け、該ガス冷却装置５と前記ガスタービン６とを接続する接続用ダクト１９を設けたことを特徴とする排気処理装置である。
【００３３】
本発明の請求項３に係る発明は、請求項１又は２記載の排気処理装置において、円筒ロータ４ａに吸着材を充填し、該円筒ロータ４ａ内は、吸着工程部４ｂと離脱再生工程部４ｃ及び冷却工程部４ｄからなり、プロセス排気中の炭化水素系ガス物質を濃縮処理するガス濃縮装置４を設けたことを特徴とする排気処理装置である。
【００３４】
本発明の請求項４に係る発明は、請求項１乃至３のいずれか１項記載の排気処理装置において、ガスタービン６の廃熱排出側に廃熱温水ボイラー８を設けたことを特徴とする排気処理装置である。
【００３５】
本発明の請求項５に係る発明は、請求項１乃至４のいずれか１項記載の排気処理装置において、廃熱温水ボイラー８の排気排出側にガスタービン６で発生した窒素酸化物の除去の為、触媒反応装置９を設けたことを特徴とする排気処理装置である。
【００３６】
本発明の請求項６に係る発明は、請求項１又は３記載の排気処理装置において、ガスタービン６の廃熱排出側に廃熱高圧ボイラー３６を設けたことを特徴とする排気処理装置である。
【００３７】
本発明の請求項７に係る発明は、請求項６記載の排気処理装置において、前記廃熱高圧ボイラー３６の高圧蒸気排出側に発電機３９を有する復水蒸気タービン３８を設けたことを特徴とする排気処理装置である。
【００３８】
本発明の請求項８に係る発明は、請求項７記載の排気処理装置において、前記廃熱高圧ボイラー３６の排気排出側に温水ボイラー４４を設けたことを特徴とする排気処理装置である。
【００３９】
本発明の請求項９に係る発明は、請求項８記載の排気処理装置において、前記復水蒸気タービン３８の蒸気ドレン排出側に熱交換器（復水器）４１を設けたことを特徴とする排気処理装置である。
【００４０】
【発明の実施の形態】
本発明の実施の形態を図１から図３にもとづいて詳細に説明する。
【００４１】
図１に示すように、本発明の排気処理装置Ａは、多系統の炭化水素系排気を主体とする有機性排気を、集合チャンバー１に流入させる為のプロセス１用排気導入用ダクト１０、プロセス２用排気導入用ダクト１１、プロセス３用排気導入用ダクト１２を集合チャンバー１の排気流入側に設けている。
【００４２】
該排気処理装置Ａは、前記集合チャンバー１と排気用冷却装置２とを接続用ダクト１３を介して接続し、該排気用冷却装置２と排気用送風機３とを接続用ダクト１４を介して接続し、該排気用送風機３とガス濃縮装置４とを接続用ダクト１５を介して接続し、該ガス濃縮装置４とガス冷却装置５とを接続用ダクト１６を介して接続し、該ガス冷却装置５と発電機７を有するガスタービン６とを接続用ダクト１７を介して接続する。
【００４３】
前記排気用送風機３と前記ガス濃縮装置４とを接続している前記接続用ダクト１５の任意の位置に前記ガス冷却装置５と接続する接続用ダクト１８を設け、該ガス冷却装置５と前記ガスタービン６とを接続する接続用ダクト１９を設ける。
【００４４】
前記ガスタービン６の廃熱排出側に廃熱温水ボイラー８を設け、該廃熱温水ボイラー８の排気排出側にガスタービン６で発生した窒素酸化物の除去の為、触媒反応装置９を設ける。
【００４５】
前記ガス濃縮装置４は、図３に示すように、いくつか考えられるが、代表的なものに円筒ロータ４ａに吸着材を充填し、該円筒ロータ４ａ内は、吸着工程部４ｂと離脱再生工程部４ｃ及び冷却工程部４ｄから構成されている。
【００４６】
前記吸着工程部４ｂは、複数のプロセス有機性排気をプロセス排気導入口４ｅより導入し、有機性排気中の炭化水素系ガス物質を吸着材に吸着させる。吸着量が飽和状態に達した時点で、離脱再生用熱風導入口４ｆより導入される離脱再生用熱風により、離脱再生工程部４ｃで吸着材から離脱させ、更に、冷却工程部４ｄで濃縮処理し、濃縮ガス排出口４ｇから排出する。
【００４７】
また、前記プロセス排気導入口４ｅより導入され、ガス濃縮装置４で濃縮されなかった清浄排気は、清浄排気排出口４ｈより、外部へ排出される。
【００４８】
前記ガス濃縮装置４は、各プロセスガスの濃度が低い場合、１０倍から２０倍程度に濃縮処理し、風量を低下させ設備設置規模の抑制を図り、あわせて設備の運転費の軽減と効率向上を図る。
【００４９】
前記ガス濃縮装置４に使用される吸着材には、活性炭やゼオライトなど炭化水素系ガス物質の吸着に適した材料を用いる。
【００５０】
前記活性炭は、椰子殻、木炭などを焼成・炭化し、細孔をもつ構造を発達させて多孔質にしたもので吸着能力を強めた炭素物質である。
【００５１】
また形状によって粒状、粉末状、破砕状と数多くの種類があるが、いずれも多孔質で表面活性を有している。孔の大きさは、１ｎｍから１０，０００ｎｍの分布があり、細孔と粗孔には吸着特性の差もある。活性炭は通常７００ｍ２　／ｇから１，８００ｍ２　／ｇという膨大な表面積を持っている。
【００５２】
活性炭の用途は、活性炭の形状により、大きく異なる。ガス吸着、溶剤回収、脱臭、空気浄化、触媒、浄水、排水処理などの用途には、粒状活性炭が主に用いられる。また、粉末状活性炭は工業薬品、醸造用、浄水、排水処理などに用いられる。
【００５３】
前記ガス濃縮装置４に使用される吸着材による吸着現象には、物理吸着と化学吸着の２現象があるが、物理吸着はファンデルワールス吸着ともいわれ、吸着材と被吸着物質との間における吸着力にもとづいて起こる可逆現象である。したがって、再度、吸着物質が気相へ戻ることを脱着現象という。
【００５４】
ガス吸着の場合は、物理的吸着要素が強い。ガス分子間における相互引力よりも固体表面（例えば、活性炭表面）との引力が大きければ、ガスは吸着材表面に凝縮する。平衡状態において、吸着材上の吸着質の分圧は接触するガスのそれに等しく、ガス相の分圧が下がれば、或いは温度が上昇すれば、吸着されていたガスはそのままの形で脱着される。
【００５５】
吸着においては、被吸着物質が流体中から、活性炭粒子表面に移動したのち、拡散によって内部表面に到達して吸着される。この際、▲１▼活性炭表面に被吸着物質が移動する速度、▲２▼活性炭粒子内の細孔への拡散速度、▲３▼活性炭内部表面での吸着反応速度、などの吸着速度が関係するが、これらの速度の内、最も遅い速度により全体の速度が支配される。上記の各種速度で前記▲３▼の活性炭内部表面での吸着反応速度は、一般的に問題にはならない。
【００５６】
吸着現象は、常に熱発生をともなう。吸着にともなう発熱量を吸着熱といい、これは吸着した物質の量によって異なる。
【００５７】
単位重量の固体に取り除かれた物質量、或いは単位面積当たりに取り除かれた物質量を、吸着量と称し、吸着量１ｍｏｌ当たりの発熱量をもって吸着熱として表す。一般的に吸着熱は、５ｋｃａｌ／ｍｏｌ程度以下である。
【００５８】
工業的なガス吸着の操作では、有機溶剤の回収ができることや活性炭の再生ができることなどはこのためである。
【００５９】
活性炭を長く使用していると、吸着された有機物などが少しずつ孔の中に溜まり、やがて孔が満たされる。このことを飽和、或いは破過したという。飽和になるまでの時間を活性炭の寿命といっている。
【００６０】
飽和した活性炭は、元の活性炭の吸着能力を有するように再生される。再生方法には、脱着再生法と薬品再生法がある。
【００６１】
脱着再生法には、加熱脱着（熱スイング法）と非加熱脱着（圧力スイング法）及び両法を組み合わせた方法がある。
【００６２】
気相における物理吸着を行った活性炭においては、加熱脱着（熱スイング法）が用いられる。熱風や１２０℃から１５０℃の過熱水蒸気などにより、脱着、乾燥し、再生され繰り返し使用される。
【００６３】
次に、該ガス濃縮装置に使用する吸着材としてはゼオライトがある。この材料は、沸石（カルシウム・ナトリウム・アルミニウムなどの含水珪酸塩鉱物）を加熱して水を放出し、すきまのある結晶となったものである。
【００６４】
ゼオライトは、主としてアルカリ、又はアルカリ土類金属のアルミノ珪酸塩からなっている。これらはメタン型構造のＳｉＯ４四面体とＡｌＯ４四面体が互いに１個ずつの酸素原子を共有したかたちの規則性ある大きな空洞をもった三次元の骨格構造を形成している。
【００６５】
ゼオライト骨格を形成している酸素の環状構造により、ゼオライトは、３Åから１０Å（オングストローム：１０−８ｃｍ）の範囲の一定した孔径であり、分子ふるいの性能を有している。
【００６６】
ゼオライトの主な特性は、▲１▼ガス吸着能、▲２▼分子ふるい効果、▲３▼イオン交換性、▲４▼触媒能を有することである。
【００６７】
ゼオライトのガス吸着能とは、その結晶構造内にある陽イオンの作用により、不飽和炭化水素（アセチレン、エチレン、プロピレンなど）や極性物質（水、硫化水素、炭酸ガス、亜硫酸ガスなど）を選択的に強く吸着する性質である。
【００６８】
ゼオライトは、疎水性が強く、プロセス排気中の水分を除外し、炭化水素成分を選択的に吸着し、水分の除外効果は活性炭を上回る。
【００６９】
次に、ゼオライトの分子ふるい効果とは、一定した大きさの均一な細孔径をもっているため、それより小さい分子を選択的に通過させ吸着することができる効果である。
【００７０】
また、ゼオライトのイオン交換性とは、結晶構造内に交換可能な陽イオンを含んでおり、これは容易に他の陽イオンと自由に交換される。この性質を用いて有害金属の除去、有用成分の濃縮・回収ができる。
【００７１】
更に、ゼオライトの触媒能とは、水素イオンや多価の金属イオンとの交換により、強力な固体酸触媒とすることができる。従来から、固体酸としては、シリカ、アルミナ系が代表的であるが、これらよりも強い酸性を示す。
【００７２】
また、細孔分布も鋭く一定の開口孔のバラツキが小さい。加えて耐熱性が高く、２００℃程度の高沸点物質の吸着、離脱再生処理も可能で、この点も沸点１３０℃程度までの活性炭に比べ上回っている。
【００７３】
ガスタービンの運転にとって吸気の乾き度が高いほうが好ましい為、排気の乾き度がより高いゼオライトによるガス濃縮装置の方がより好ましい。
【００７４】
該ガス濃縮装置４の仕組みは、直径と厚さが１ｍから５ｍ程度の円筒ロータ４ａに吸着材を充填し、一定速度（概ね１時間に２乃至６回転）で回転させながら、吸着・離脱再生・冷却を繰り返していく。
【００７５】
この場合、濃縮ガスの取り出しは、吸着量が破過した時点で２００℃程度の熱風（活性炭の場合は、１０５℃から１３０℃）で離脱再生させる。また、冷却工程で使用した冷却ガスは、再度プロセス排気に戻され再吸着される。
【００７６】
次に、濃縮ガス装置４から、排出される濃縮ガスは、温度が高いため、ガスタービン６の効率低下を招かないようにする必要がある。そこで濃縮ガス装置４から排出された濃縮ガスを該濃縮ガス装置４と該ガスタービン６との間に設けた、ガス冷却装置５に導入し、高温になっている濃縮ガスを所定の温度に冷却し、低温状態の濃縮ガスにする。
【００７７】
該ガス冷却装置５の冷却媒体には、冷却水、或いは外気を、冷却水導入管、又は外気導入ダクト２０から該ガス冷却装置５内に流入させ、具体的には濃縮ガスを３５℃以下まで冷却する。
【００７８】
該ガス冷却装置５である熱交換器には、高温側の流体と低温側の流体が直接接触しない隔板式と２種類の流体が直接接触する直接接触式がある。一般的には、隔板が金属製の二重管方式のものが多い。
【００７９】
次に、該ガスタービン６は、主燃料を炭化水素を主成分とする天然ガス（ＬＮＧ）などの気体燃料や重油、軽油などの液体燃料が使用され、燃料導入管２７より導入する。
【００８０】
該ガスタービン６の基本構造は、一般的に圧縮機、燃焼器、タービンなどから構成されている。空気を吸入し、圧縮機で空気を圧縮し、燃焼器に燃料を吹き込み燃焼させ、得られた高圧高温の燃焼ガスをタービンで膨張させ、排気ガスを放出する。
【００８１】
タービンで発生した動力より、圧縮機を駆動する動力を差し引いた残りの動力が、該ガスタービン６の発生動力となり、同軸の発電機７で発電される仕組みである。
【００８２】
該ガスタービン６の最大出力時では、一般にタービン出力の約２／３が圧縮機用に使われ、残りの約１／３が、機関の正味の出力となる。
【００８３】
タービン出力は、タービン入口温度が高いほど大きいので、機関出力を増大させるため、タービン温度は８００℃以上の高温となり、このためタービン部には高級な耐熱材料が用いられる。
【００８４】
また、機関出力は、機関を通過する空気流量に比例するので、圧縮機、タービンともに容積あたり処理流量の多い形式である軸流圧縮機や軸流タービンが主に選択される。
【００８５】
該ガスタービン６での定格出力を得るに当たって濃縮ガスを吸気より導入する運転（濃縮ガス運転）時は、吸気の比エンタルピが濃縮ガスの持っている比発熱量分上昇するため燃焼膨張工程でのＬＮＧ、軽油などの燃料使用量の軽減が図られる。
【００８６】
また、多系統の各プロセス排気の排ガス風量と濃度（概ね１，０００ｐｐｍ程度）が均一、且つ一定以上で発熱量が一定以上有する場合には、排出された排気を濃縮する必要がなく、従って濃縮ガス装置４を通さず、そのまま接続用ダクト１８を介して、直接にガス冷却装置５に導入し、冷却を行った後、ガスタービン６に導入する。
【００８７】
該ガスタービン６の廃熱排気は、ガスタービン６と廃熱温水ボイラー８とを接続している接続用ダクト２６を通じて、該廃熱温水ボイラー８に導入される。また、該廃熱温水ボイラー８で温水を発生させる為に必要な該廃熱温水ボイラー８への冷水供給は冷水導入管３５を通して行われる。
【００８８】
該ガスタービン６内で発生した廃熱排気は、３００℃から４００℃程度の熱風であり、前記廃熱温水ボイラー８で熱交換し、温水を発生させ、温水、又は蒸気排出管２８を通じて排出される。
【００８９】
該廃熱温水ボイラー８での温水発生後の排気温度は、１００℃から１６０℃程度になる。この排気の一部を切り替えダンパ３１を任意の位置に設けた接続用ダクト２９、及び該接続用ダクト２９とガス濃縮装置４との間に設けた離脱再生用熱風送風機２３によって、接続用ダクト３０を通じて、該ガス濃縮装置４の破過した吸着材の離脱再生工程４ｃに離脱再生用熱風導入口４ｆより導入する。離脱再生用熱風温度は吸着材の特性に合わせて調整する。
【００９０】
活性炭の場合は、１００℃から１３０℃程度の沸点物質まで適用される。一方ゼオライトの場合は２００℃程度までの高沸点物質の適用ができる。
【００９１】
この場合の濃縮装置４での離脱再生工程４ｃには、該ガスタービン６と該廃熱温水ボイラー８とを接続している接続用ダクト２６の任意の位置と、該廃熱温水ボイラー８とガス濃縮装置４とを接続している接続用ダクト２９の任意の位置とを接続する切換えダンパー２５を任意の位置に設けた接続用ダクト２４を通じて排出するガスタービン６の廃熱排気と、該廃熱温水ボイラー８の排気排出側に接続した接続用ダクト２９を通じて、廃熱温水ボイラー８から排出された一部の排気とを混合調和し適当な温度にした熱風を使用する。
【００９２】
この時に発生する濃縮された炭化水素系ガスの濃度、風量の調整は、該ガス冷却装置５で冷却の後、吸気として取り込む該ガスタービン６の定格値によって決定され、必要に応じ吸着材の破過前の離脱再生による濃縮程度の調整を行う必要がある。
【００９３】
これにはプロセス排気濃度を連続的に測定し、吸着時間と濃度及び吸着材の吸着率により、離脱再生時の濃縮ガスの濃度を制御することができる。
【００９４】
また、吸着材を詰めた固定吸着層をいくつか設け、各吸着層にプロセス排気を均等に導入し、吸着材が飽和した層より、順次熱風による吸着物質の離脱再生工程を行うこともできる。
【００９５】
離脱再生工程に進むべき時の感知方法としては、対象となる物質が炭化水素であるため、排気の濃度を測定し、規定の濃度以上になった場合、離脱再生工程を行い熱風を導入し吸着材よりの離脱を行う。
【００９６】
離脱させたガスは高濃度であり、爆発下限界に注意し該ガスタービン６に導入する。その際、状況によっては、該ガスタービン６効率を上げるため濃縮ガスを冷却することも必要となる。タービンの出力を一定に保ちつつ濃縮ガスの導入により燃費が低下する。
【００９７】
このように排気の持つ発熱量を該ガスタービン６で燃焼させることにより有効にエネルギーを取り出すことができる。
【００９８】
次に、該廃熱温水ボイラー８の排気排出側に切り替えダンパ３２を設けた排気用接続ダクト３３を介して、該ガスタービン６で発生した窒素酸化物の除去の為、触媒装置９を設けている。
【００９９】
窒素酸化物の除去方法は、アンモニアなどの還元剤を注入する高温無触媒脱硝法や触媒脱硝法がある。触媒脱硝法では、窒素酸化物除去率を９５％以上とすることも可能である。
【０１００】
次に、図２に示す排気処理装置Ｂは、図１の排気処理装置Ａとガスタービン６までの装置構成は同じであるが、該ガスタービン６の排気排出側以後の装置構成が異なっている。即ち、該ガスタービン６の排気排出側に接続用ダクト２６を介して、廃熱高圧ボイラ３６を設ける。
【０１０１】
該廃熱高圧ボイラー３６と切り替えダンパー４９を任意の位置に設けた排気用接続ダクト５０を介して、温水ボイラー４４を設け、更に切り替えダンパー４８を任意の位置に設けた接続用ダクト５１及び離脱再生用熱風送風機２３、更に接続用ダクト３０を介して該ガス濃縮装置４に接続している。
【０１０２】
該廃熱高圧ボイラー３６の排気排出側に排気用接続ダクト５０を介して設けた、該温水ボイラー４４には、冷水導入管４３を通じて冷水を導入する。該温水ボイラー４４と該廃熱高圧ボイラー３６とを温水排出管４５、及び該廃熱高圧ボイラー３６に温水を導入する温水導入管４６を介して接続する。また、該温水ボイラー４４から排出される排気は排気用排出ダクト４７を通じて排出される。
【０１０３】
更に、前記廃熱高圧ボイラー３６の高圧蒸気排出側に高圧蒸気接続管３７を介して、復水蒸気タービン３８を設け、該復水蒸気タービン３８と同軸に発電機３９を設ける。該発電機３９で発電を行う。
【０１０４】
該復水蒸気タービン３８から発生する蒸気ドレンは、該復水蒸気タービン３８と蒸気ドレン管４０を介して設けられた空気や冷却水で凝縮させる方式の熱交換器（復水器）４１により、蒸気温度は常温まで下がる。
【０１０５】
次に、常温に下がった蒸気ドレンは、冷水導入管４２を通じて前記廃熱高圧ボイラ３６に戻され、再度高圧蒸気発生に寄与する。
【０１０６】
このような排気処理装置Ｂは、熱電負荷比の小さな場合に好適で熱源を効果的に電力に変換できる。
【０１０７】
【実施例】
上記発明の排気処理装置Ａを用いて、印刷工程などのプロセスから排出された各種有機性排気をガス濃縮装置４で処理した後、該濃縮ガスをガスタービン６の吸気に空気と共に導入し、圧縮し燃焼させることで排ガスである炭化水素を酸化脱臭除去し、同時に排気のもっている熱エネルギーをガスタービン６に接続された発電機７により、電力を取り出し、更に蒸気などを発生する効果的、且つ効率的な排気処理方法を実施例に基づいて説明する。
【０１０８】
＜実施例１＞
実施例１として、グラビアフィルム印刷機２台より発生した酢酸エチルとトルエンを成分とする混合排気を図１に示すように、集合チャンバー１の排気流入側に設けられた、プロセス１用排気導入用ダクト１０とプロセス２用排気導入用ダクト１１から、一度集合チャンバー１内に集合させ、各プロセスの稼働率の変動を抑制し、プロセス導入排気を平準化させた。
【０１０９】
次に、前記集合チャンバー１と排気用冷却装置２とを接続用ダクト１３を介して接続し、該排気用冷却装置２と排気用送風機３とを接続用ダクト１４を介して接続し、該排気用送風機３とガス濃縮装置４とを接続用ダクト１５を介して接続し、該ガス濃縮装置４とガス冷却装置５とを接続用ダクト１６を介して接続し、該ガス冷却装置５と発電機７を有するガスタービン６とを接続用ダクト１７を介して接続する。
【０１１０】
更に、前記排気用送風機３と前記ガス濃縮装置４とを接続している前記接続用ダクト１５の任意の位置に前記ガス冷却装置５と接続する接続用ダクト１８を設け、該ガス冷却装置５と前記ガスタービン６とを接続する接続用ダクト１９を設けた。
【０１１１】
次に、図３に示すように、前記ガス濃縮装置４は、円筒ロータ４ａにゼオライトを充填し、該円筒ロータ４ａ内は、吸着工程部４ｂと離脱再生工程部４ｃ及び冷却工程部４ｄから構成されている。
【０１１２】
次に、該ガスタービン６の廃熱排出側に該廃熱温水ボイラー８、更に廃熱温水ボイラー８の排気排出側にガスタービン６で発生した窒素酸化物の除去の為、触媒反応装置９を設けた排気処理装置Ａによって排気処理を行った。
【０１１３】
前記グラビア印刷機２台より発生した酢酸エチルとトルエンを成分とする混合排気の排気条件は、プロセス１用排気導入用ダクト１０から３５０ｍ３　Ｎ／分と、プロセス２用排気導入用ダクト１１から４５０ｍ３　Ｎ／分の排気があった。
【０１１４】
各々の排気を一度集合チャンバー１内に集合させ、次に排気用冷却装置２を通じて、排気用送風機３によりガス濃縮装置４に送出し、トルエン１５０ｐｐｍから２２０ｐｐｍ、酢酸エチル９５ｐｐｍから１２０ｐｐｍで４０℃の混合排気をゼオライト式吸着材濃縮装置４に吸着させた後、風量３０ｍ３　Ｎ／分で８５℃に濃縮した。
【０１１５】
これを更に、前記ガス冷却装置５で３５℃まで冷却し、トルエンは、４，８００ｐｐｍから５，２００ｐｐｍ、及び酢酸エチルは、２，７００ｐｐｍから３，４００ｐｐｍに濃縮した。
【０１１６】
この濃縮混合ガスを１，０００ｋｗの発電出力のガスタービン６の吸気に取り入れ、１，０００ｋｗの発電ができた。
【０１１７】
更に、該ガスタービン６の廃熱を廃熱温水ボイラー８に導入し、２．８ｔ／ｈの蒸気を発生させた。
【０１１８】
該ガスタービン６の吸気に濃縮ガスが含まれているので、従来の大気吸引時だけに比べ、燃料のＬＮＧ（１１，０００ｋｃａｌ／ｍ３Ｎ）の消費量が、１２％低下し、合わせて大気に放出していた炭化水素量を９９％（メタン換算）以上除去できた。
【０１１９】
＜実施例２＞
次に、実施例２として、グラビア印刷機１台より発生したトルエンを成分とする単体排気について、実施例１と同様に排気処理装置Ａで実施した。排気条件は、プロセス１用排気導入用ダクト１０から６００ｍ３　Ｎ／分の排気があった。
【０１２０】
その排気を一度集合チャンバー１内に導入させ、次に排気用冷却装置２を通じて、排気用送風機３によりガス濃縮装置４に送出し、トルエン５５０ｐｐｍから６５０ｐｐｍで７０℃の単体排気をゼオライト式吸着材濃縮装置４に吸着させた後、風量５２ｍ３　Ｎ／分で８５℃に濃縮した。
【０１２１】
これを更に、前記ガス冷却装置５で３５℃まで冷却し、トルエンは、６，５００ｐｐｍから７，０００ｐｐｍに濃縮した。
【０１２２】
この濃縮混合ガスを１，０００ｋｗの発電出力のガスタービン６の吸気に取り入れ、１，０００ｋｗの発電ができた。
【０１２３】
更に、該ガスタービン６の廃熱を廃熱温水ボイラー８に導入し、２．５ｔ／ｈの蒸気を発生させた。
【０１２４】
該ガスタービン６の吸気に濃縮ガスが含まれているので、従来の大気吸引時だけに比べ、燃料のＬＮＧ（１１，０００ｋｃａｌ／ｍ３Ｎ）の消費量が、１９％低下し、合わせて大気に放出していた炭化水素量を９９％（メタン換算）以上除去できた。
【０１２５】
次に、排気中の窒素酸化物濃度が未処理状態で１５０ｐｐｍ程度あるため、低減措置として触媒反応装置９により処理し、最終大気排出濃度を１０ｐｐｍから１５ｐｐｍに低減することができた。尚、印刷工程から排出された排気中の窒素酸化物濃度は濃縮ガス装置４の導入前後で変化はなかった。
【０１２６】
＜実施例３＞
次に、実施例３として、メタクリル酸系樹脂の塗工乾燥硬化ライン１ラインから発生した溶剤と樹脂低分子成分の混合排気について実施例１と同様に排気処理装置Ａで実施した。
【０１２７】
排気条件は、プロセス１用排気導入用ダクト１０から１，０００ｍ３　Ｎ／分のトルエン、酢酸エチル、メチルイソブチルケトン、及び樹脂中低分子成分の混合ガス１００℃の排気があった。
【０１２８】
その混合排気を一度集合チャンバー１内に導入させ、次に排気用冷却装置２を通じて、排気用送風機３によりガス濃縮装置４に送出し、ゼオライト式吸着材濃縮装置４に吸着させた後、濃縮した。
【０１２９】
これを更に、前記ガス冷却装置５で４０℃まで冷却し、６０ｍ３　Ｎ／分、発熱量２１０ｋｃａｌ／ｍ３　Ｎの濃縮混合ガスにした。
【０１３０】
該濃縮混合ガスを１，０００ｋｗの発電出力のガスタービン６の吸気に取り入れ、１，０００ｋｗの発電ができた。
【０１３１】
更に、該ガスタービン６の廃熱を廃熱温水ボイラー８に導入し、２．５ｔ／ｈの蒸気を発生させた。
【０１３２】
該ガスタービン６の吸気に濃縮ガスが含まれているので、従来の大気吸引時だけに比べ、燃料のＬＮＧ（１１，０００ｋｃａｌ／ｍ３Ｎ）の消費量が、１５％低下し、合わせて従来、導入処理していた脱臭装置を停止させることができた。
【０１３３】
該脱臭装置に費やしていた燃料代、電気代、保守維持費などの運転経費の削減に役立った。
【０１３４】
次に、排気中の窒素酸化物濃度は、未処理状態で１９０ｐｐｍから２２０ｐｐｍ程度あるため、窒素酸化物除去目的の触媒反応装置９により、最終大気排出濃度を１０ｐｐｍから１５ｐｐｍに低減させた。
【０１３５】
尚、塗工乾燥硬化ラインから排出された排気中の窒素酸化物濃度は濃縮ガス装置４の導入前後で変化はなかった。また、ライン排気中に硫黄分もないため、硫黄酸化物の発生もなかった。
【０１３６】
＜実施例４＞
次に、実施例４として、有機化学合成工程１ラインから発生した炭化水素系排気を活性炭を使ったガス濃縮装置４で濃縮した。
【０１３７】
その他は、実施例１と同様に排気処理装置Ａで実施した。排気条件は、プロセス１用排気導入用ダクト１０から排気流量２５０ｍ３　Ｎ／分のアセトン、シクロヘキサン、キシレンの平均濃度は、アセトン８３０ｐｐｍ、シクロヘキサン６００ｐｐｍ、キシレン１００ｐｐｍの混合排気を一度、集合チャンバー１内に導入した。
【０１３８】
次に、該混合排気を排気用冷却装置２を通じて、排気用送風機３により該ガス濃縮装置４に送出し、ゼオライト式吸着材濃縮装置４に吸着させた後、１０倍に濃縮した。
【０１３９】
これを更に、前記ガス冷却装置５で３５℃まで冷却し、この濃縮混合ガスを定格出力１，０００ｋｗのガスタービン６の吸気に取り入れ、１，０００ｋｗの発電ができた。
【０１４０】
更に、該ガスタービン６の廃熱を廃熱温水ボイラー８に導入し、２．５ｔ／ｈの蒸気を発生させた。
【０１４１】
該ガスタービン６の吸気に濃縮ガスが含まれているので、従来の大気吸引時だけに比べ、燃料のＬＮＧ（１１，０００ｋｃａｌ／ｍ３Ｎ）の消費量が、約１４％低下した。次に、触媒反応装置９により、煤煙、煤塵濃度は法定基準内となった。
【０１４２】
【発明の効果】
本発明の排気処理装置は、炭化水素系排気をガス濃縮装置で処理した後、濃縮ガスをガスタービンの吸気に空気と共に導入し、圧縮し燃焼させることで炭化水素を酸化脱臭除去し、同時に排気のもっている熱エネルギーをガスタービンに接続された発電機により、電力を取り出し、更に蒸気、或いは温水を発生する、効果的且つ効率的な排気処理を提供できる。
【図面の簡単な説明】
【図１】本発明に係る排気処理装置Ａの基本構成図である。
【図２】本発明に係る排気処理装置Ｂの基本構成図である。
【図３】本発明に係る排気処理装置Ａ、又はＢにおけるガス濃縮装置の拡大図である。
【図４】従来技術に係る排気処理装置のフロー図である。
【符号の説明】
Ａ・・・本発明の排気処理装置Ａ
Ｂ・・・本発明の排気処理装置Ｂ
１・・・集合チャンバー
２・・・排気用冷却装置
３・・・排気用送風機
４・・・ガス濃縮装置　４ａ・・・円筒ロータ　４ｂ・・・吸着工程部
４ｃ・・・離脱再生工程部　４ｄ・・・冷却工程部　４ｅ・・・プロセス排気導入口　４ｆ・・・離脱再生用熱風導入口　４ｇ・・・濃縮ガス排出口
４ｈ・・・清浄排気排出口
５・・・ガス冷却装置
６・・・ガスタービン
７・・・発電機
８・・・廃熱温水ボイラー
９・・・触媒反応装置
１０・・・プロセス１用排気導入用ダクト
１１・・・プロセス２用排気導入用ダクト
１２・・・プロセス３用排気導入用ダクト
１３・・・接続用ダクト
１４・・・接続用ダクト
１５・・・接続用ダクト
１６・・・接続用ダクト
１７・・・接続用ダクト
１８・・・接続用ダクト
１９・・・接続用ダクト
２０・・・冷却水導入管、又は外気導入ダクト
２１・・・プロセス給気等接続用ダクト
２２・・・清浄排気排出用ダクト
２３・・・離脱再生用熱風送風機
２４・・・接続用ダクト
２５・・・切換えダンパー
２６・・・接続用ダクト
２７・・・燃料導入管
２８・・・温水、又は蒸気排出管
２９・・・接続用ダクト
３０・・・接続用ダクト
３１・・・切換えダンパー
３２・・・切換えダンパー
３３・・・排気用接続ダクト
３４・・・清浄排気排出用ダクト
３５・・・冷水導入管
３６・・・廃熱高圧ボイラー
３７・・・高圧蒸気接続管
３８・・・復水蒸気タービン
３９・・・発電機
４０・・・蒸気ドレン管
４１・・・熱交換器（復水器）
４２・・・冷水導入管
４３・・・冷水導入管
４４・・・温水ボイラー
４５・・・温水排出管
４６・・・温水導入管
４７・・・排気用排出ダクト
４８・・・切換えダンパー
４９・・・切換えダンパー
５０・・・排気用接続ダクト
５１・・・接続用ダクト
【図１】
2004036523.tif 000003
【図２】
2004036523.tif 000004
【図３】
2004036523.tif 000005
【図４】
2004036523.tif 000006